【手続補正書】
【提出日】平成22年9月10日(2010.9.10)
【手続補正１】
【補正対象書類名】特許請求の範囲
【補正対象項目名】全文
【補正方法】変更
【補正の内容】
【特許請求の範囲】
【請求項１】
ゴルフボールが飛び出した複数の飛び出し位置から、落下中のゴルフボールの飛び出し位置を特定する方法において、
（Ａ）前記落下中のゴルフボールの落下時間と落下仰角に依存する値を得るために、前記落下中のゴルフボールの落下パラメータを測定するステップと、
（Ｂ）前記落下中のゴルフボールの飛行時間の予測値を、前記落下仰角の測定値の関数として計算するステップと、
（Ｃ）飛び出し位置に関し、各飛び出したゴルフボールの飛び出し時間と、落下中のゴルフボールの落下時間との間の時間間隔を測定するステップと、
（Ｄ）前記飛び出し位置に関し、前記の測定した前記時間間隔と、落下中のボールの飛行時間の予測計算値とを比較するステップと、
これにより、どの飛び出し位置に関し、それぞれの時間間隔が、計算した予測値と最もマッチするかを決定し、
（Ｅ）前記落下中のゴルフボールが飛び出した位置を、前記最もマッチした飛び出し位置で特定するステップと、
を有する
ことを特徴とする落下中のゴルフボールの飛び出し位置を特定する方法。
【請求項２】
前記の測定した落下パラメータは、落下仰角を与えるために、前記落下中のゴルフボールの落下速度成分の測定値を含む
ことを特徴とする請求項１記載の方法。
【請求項３】
前記飛行時間の予測値は、前記落下仰角の線形関数に従って、計算する
ことを特徴とする請求項１又は２記載の方法。
【請求項４】
前記線形関数は、少なくとも下記の第１項と第２項の和であり、
第１項は、定数であり、
第２項は、定数と落下仰角に依存する値の積である
ことを特徴とする請求項３記載の方法。
【請求項５】
前記第１項と第２項の各定数は、飛距離と少なくとも下記の中の１つに依存する
キャリー距離、風速、風の方向、飛び出し角、飛び出し速度、空気の密度、落下中のゴルフボールの落下速度、落下中のゴルフボールの落下方位角
ことを特徴とする請求項４記載の方法。
【請求項６】
前記落下中のゴルフボールの落下方位角の測定値は、測定された落下パラメータから得られ、
前記（Ｅ）ステップは、近いマッチが存在する複数の飛び出したゴルフボールの飛び出し位置を区別するステップを有し、
前記区別するステップは、近いマッチが存在する飛び出したゴルフボールに関し、前記落下中のゴルフボールの落下方位角の測定値と、それに対する計算値とのマッチが存在する程度に基づいて行われ、
前記計算値は、前記飛び出したゴルフボールの飛び出し方位角の測定値と、前記飛び出したゴルフボールの飛び出し位置からの落下中のゴルフボールの挙動の測定値の関数として、計算される
ことを特徴とする請求項１−５のいずれか記載の方法。
【請求項７】
前記落下中のゴルフボールの落下方位角の計算値は、
前記飛び出したゴルフボールの飛び出し位置からの落下中のゴルフボールの挙動の測定値と、
前記挙動と前記飛び出したゴルフボールの飛び出し方位角の測定値の間の差分に依存する項と
の和である
ことを特徴とする請求項６記載の方法。
【請求項８】
前記落下中のゴルフボールの水平方向速度は、測定された落下パラメータから得られ、
前記（Ｅ）ステップは、近いマッチが存在する複数の飛び出したゴルフボールの飛び出し位置を区別するステップを有し、
前記区別するステップは、飛び出したゴルフボールに関し、（ａ）と（ｂ）との間にマッチが存在する程度に基づいて行われる、
（ａ）飛び出し時のゴルフボールの水平速度の測定値の、落下中のゴルフボールの水平速度の測定値に対する計算された比率と、
（ｂ）飛び出し位置からの飛び出したゴルフボールの予測飛行時間の値に依存する関数
ことを特徴とする請求項７記載の方法。
【請求項９】
前記落下中のゴルフボールの落下パラメータの測定は、地上から２ｍ以下で行われる
ことを特徴とする請求項１−８のいずれか記載の方法。
【請求項１０】
ゴルフボールが飛び出した複数の飛び出し位置から、落下中のゴルフボールの飛び出し位置を特定するシステムにおいて、
（Ａ）前記落下中のゴルフボールの落下時間と落下仰角に依存する値を得るために、前記落下中のゴルフボールの落下パラメータを測定する手段と、
（Ｂ）前記落下中のゴルフボールの飛行時間の予測値を、前記落下仰角の測定値の関数として計算する手段と、
（Ｃ）飛び出し位置に関し、各飛び出したゴルフボールの飛び出し時間と、落下中のゴルフボールの落下時間との間の時間間隔を測定する手段と、
（Ｄ）前記飛び出し位置に関し、前記の測定した前記時間間隔と、落下中のボールの飛行時間の予測計算値とを比較する手段と、
これにより、どの飛び出し位置に関し、それぞれの時間間隔が、計算した予測値と最もマッチするかを決定し、
（Ｅ）前記落下中のゴルフボールが飛び出した位置を、前記最もマッチした飛び出し位置で特定する手段と、
を有する
ことを特徴とする落下中のゴルフボールの飛び出し位置を特定するシステム。
【請求項１１】
前記の測定した落下パラメータは、落下仰角を与えるために、前記落下中のゴルフボールの落下速度成分の測定値を含む
ことを特徴とする請求項１０記載のシステム。
【請求項１２】
前記飛行時間の予測値は、前記落下仰角の線形関数に従って、計算する
ことを特徴とする請求項１０又は１１記載のシステム。
【請求項１３】
前記線形関数は、少なくとも下記の第１項と第２項の和であり、
第１項は、定数であり、
第２項は、定数と落下仰角に依存する値の積である
ことを特徴とする請求項１２記載のシステム。
【請求項１４】
前記第１項と第２項の各定数は、飛距離と少なくとも下記の中の１つに依存する
キャリー距離、風速、風の方向、飛び出し角、飛び出し速度、空気の密度、落下中のゴルフボールの落下速度、落下中のゴルフボールの落下方位角
前記線形関数は、前記第１項と、第２項と落下方位角の積の和である
ことを特徴とする請求項１３記載のシステム。
【請求項１５】
前記落下中のゴルフボールの落下方位角の測定値は、測定された落下パラメータから得られ、
前記特定する手段（Ｅ）は、近いマッチが存在する複数の飛び出したゴルフボールの飛び出し位置を区別する手段を有し、
前記区別する手段は、近いマッチが存在する飛び出したゴルフボールに関し、前記落下中のゴルフボールの落下方位角の測定値と、それに対する計算値とのマッチが存在する程度に基づいて行われ、
前記計算値は、前記飛び出したゴルフボールの飛び出し方位角の測定値と、前記飛び出したゴルフボールの飛び出し位置からの落下中のゴルフボールの挙動の測定値の関数として、計算される
ことを特徴とする請求項１０−１４のいずれか記載のシステム。
【請求項１６】
前記落下中のゴルフボールの落下方位角の計算値は、
前記飛び出したゴルフボールの飛び出し位置からの落下中のゴルフボールの挙動の測定値と、
前記挙動と前記飛び出したゴルフボールの飛び出し方位角の測定値の間の差分に依存する項と
の和である
ことを特徴とする請求項１５記載のシステム。
【請求項１７】
前記落下中のゴルフボールの水平方向速度は、測定された落下パラメータから得られ、
前記特定する手段（Ｅ）は、近いマッチが存在する複数の飛び出したゴルフボールの飛び出し位置を区別する手段を有し、
前記区別する手段は、飛び出したゴルフボールに関し、（ａ）と（ｂ）との間にマッチが存在する程度に基づいて行われる、
（ａ）飛び出し時のゴルフボールの水平速度の測定値の、落下中のゴルフボールの水平速度の測定値に対する計算された比率と、
（ｂ）飛び出し位置からの飛び出したゴルフボールの予測飛行時間の値に依存する関数
ことを特徴とする請求項１０−１６のいずれか記載のシステム。
【請求項１８】
前記落下中のゴルフボールの落下パラメータの測定は、地上から２ｍ以下で行われる
ことを特徴とする請求項１０−１７のいずれか記載のシステム。